(57)【要約】【課題】魚に食いちぎられにくい釣餌を提供する。【解決手段】釣針１に取り付けられる餌本体２に、弾性繊維からなる糸３を巻回したものとしている。餌本体２は、オキアミや貝の剥き身等、従来より釣餌として一般的に使用されているものであるが、弾性繊維からなる糸３で包囲されているため、魚に食いちぎられにくくなっている。糸３は、ポリウレタン繊維からなるものとすることができる。また、糸３を、餌本体２の両側から互いに逆向きに螺旋状に巻回して交差させたものとすることができる。【選択図】図２
2010166883.tif 000002
【特許請求の範囲】
【請求項１】
釣針（１）に取り付けられる餌本体（２）に、弾性繊維からなる糸（３）を巻回していることを特徴とする釣餌。
【請求項２】
糸（３）をポリウレタン繊維からなるものとした請求項１記載の釣餌。
【請求項３】
糸（３）を、餌本体（２）の両側から互いに逆向きに螺旋状に巻回して交差させている請求項１又は２記載の釣餌。
【発明の詳細な説明】
【技術分野】
【０００１】
この発明は、釣り針に取り付けて使用する釣餌に関するものである。
【背景技術】
【０００２】
従来、釣りで使用されるオキアミや貝等の餌は、そのまま釣り針に刺して取り付けられる（例えば特許文献１の図２）。このような釣餌は、全体が剥き出しの状態であり、これをガードするものがないため、いわゆる「エサ取り」と呼ばれる、釣針にかからずに餌だけを取っていく魚に部分的に食いちぎられていき、目的の魚を釣ることができないままになってしまうことが多い。
【先行技術文献】
【特許文献】
【０００３】
【特許文献１】特開２００８−５７７６号公報
【発明の概要】
【発明が解決しようとする課題】
【０００４】
そこで、この発明は、魚に食いちぎられにくい釣餌を提供することを課題とする。
【課題を解決するための手段】
【０００５】
前記課題を解決するため、この発明は次のような技術的手段を講じている。
【０００６】
この発明の釣餌は、釣針１に取り付けられる餌本体２に、弾性繊維からなる糸３を巻回したものとしている。なお、餌本体２は、オキアミや貝の剥き身等、従来より釣餌として一般的に使用されているものとすることができる。
【０００７】
糸３は、ポリウレタン繊維からなるものとすることができる。
【０００８】
また、糸３を、餌本体２の両側から互いに逆向きに螺旋状に巻回して交差させたものとすることができる。
【発明の効果】
【０００９】
この発明の釣餌は、上述のような構成を有しており、餌本体２に弾性繊維からなる糸３が巻回されているため、魚に食いちぎられにくく、「エサ取り」の魚が多数いるような状況でも、長時間使用することができる。
【図面の簡単な説明】
【００１０】
【図１】図１は、この発明の実施例１の釣餌を釣針に取り付けた状態の説明図である。
【図２】図２は、実施例１の餌本体が一部食われた状態を示す説明図である。
【図３】図３は、実施例１の釣餌の製造工程を示す説明図である。
【図４】図４は、この発明の実施例２の釣餌の製造工程を示す説明図である。
【発明を実施するための形態】
【００１１】
以下、この発明の好適な実施形態を、図面を参照して説明する。
【実施例１】
【００１２】
この釣餌は、図１に示したように、釣針１に取り付けられる餌本体２に、弾性繊維からなる糸３を巻回したものとしている。餌本体２を取り付ける釣針１は、一般的なＪ字状に曲がったものを使用することができる。餌本体２はオキアミとしている。釣針１に取り付けられた餌本体２は、従来のものと同様に、図示したように曲がった状態に保持される。
【００１３】
糸３は、弾性繊維、すなわちゴム状弾性をもっている繊維からなるものであり、この実施例では、ポリウレタンを溶剤に溶かして紡糸した弾性繊維を紡績してなるものとしている。この糸３は、ストッキング、靴下、各種のスポーツウェア等に使用されているスパンデックスの材料となるものであり、優れた引張り強度と伸縮性を有している。
【００１４】
このような糸３は、ベア天と呼ばれる生地を製造する際に、綿やレーヨンなど丸編みの天竺組織に挿入されるが、従来、前記生地を製造した際に残った糸は、産業廃棄物として廃棄されていた。この発明では、このような廃棄されてきた糸を有効に利用することが可能である。
【００１５】
糸３の太さは、目立たないようになるべく細くすることが望ましく、２２〜３３デシテックス程度とするとよい。糸３は、餌本体２の左右各側から螺旋状に巻回されており、各側から巻回された糸３が交差することにより、餌本体２をその略全長にわたって、互いに逆向きの螺旋が交差してなる格子状に包囲している。なお、単なる螺旋状としたり、糸３同士の交差箇所で糸３が折れ曲がったような網状として餌本体２を包囲してもよい。糸３は、フリーテンション、すなわちほとんど張力のかかっていない状態とすることが望ましい。
【００１６】
糸３を螺旋状に巻回する間隔は適宜でよいが、目的の魚が餌本体２を感知しやすいようにするため、餌本体２の表面をびっしりと糸３が覆ってしまうようなことは望ましくなく、糸３どうしの平均的な間隔を数ｍｍ程度とし、１ｍ程度離れた場所からでは、糸３が巻かれているのかどうか目視ではっきり分からない程度とすればよい。
【００１７】
この釣餌は、餌本体２が糸３に包囲されてガードされた状態にあるため、仕掛けを降ろす間はもちろん、いわゆる「エサ取り」と呼ばれる、釣針にかからずに餌を取っていくフグ等の魚が多いときでも、長時間もたせることができる。２枚刃のカミソリのような歯を持つフグ類等にかじられても、糸３は、フリーテンションで巻回されていれば、ほとんど切断されることはない。
【００１８】
また、餌本体２の一部が魚に食いちぎられていったん魚の口の中に入っても、糸３は、その弾性により伸びた状態から収縮するため、前記餌本体２の一部は、魚の口から引き出される。魚の口から引き出された前記餌本体２の一部２ａは、図２に示したように、元の位置より釣針１から離れて浮遊した状態となるが、このような状態となることにより、かえって魚をおびき寄せやすくなる。
【００１９】
餌本体２に糸３を巻回するには、図３に示したような装置４を利用することができる。この装置４は、床面に対して垂直に設けられた固定板５と、固定板５の前面側に設けられた前方へ水平に延びる軸棒６と、外周面に糸３を反時計回りに巻回した短い円筒状のスプール７を有しており、スプール７はその内周面の上端が前記軸棒６に接するように軸棒６に掛けられて揺動可能に保持されている。
【００２０】
この装置４の前方の位置において、餌本体２を回転させながら、前記スプール７から送り出される糸３を餌本体２に螺旋状に巻き付けていく。餌本体２は、その全長より長い直線状の線材８を餌本体２の長尺方向に貫通させ、この線材８を回転軸として指で回転させながら糸３を巻き付かせていくとよい。
【００２１】
前記線材８は丸棒状のカーボンソリッドとすることができる。線材８の太さは、直径０．８ｍｍ程度とするとよい。
【００２２】
糸３を餌本体２に巻き付けるには、図３（ａ）〜（ｃ）に示したように、餌本体２をその長尺方向が図中の左右方向となるように配置し、餌本体２の右端部付近に糸３を載せ、前記線材８の端部を指で回転させていく。スプール７から送り出される糸３の位置は、スプール７の右側から上側中央、左側へと移動し、餌本体２にはその左端付近にまで糸３が巻き付けられた状態になる。そして、スプール７から送り出される糸３の位置は、スプール７の左側から下側中央、右側へと移動し、餌本体２にはその右端付近にまで糸３が巻き付けられ、前述の右側から巻き付けられた糸３と交差した状態となる。
【００２３】
糸３の巻き付けは、餌本体２が２０回転する間に糸３が餌本体２の左右両端間を１往復する位の巻き数で、これを２往復程度行うとよい。エサ取りが多い場所やシーズンに釣をする場合は、糸３を比較的多めに巻回し、糸３どうしの間隔を短くすることが望ましい。巻き終わったら、糸３の終端をはさみで切断する。糸３の終端は、餌本体２に絡みつくので特に解けないように処理する必要はない。
【００２４】
この装置４においては、スプール７から餌本体２までの距離を調節することにより、全長の異なる餌本体２に対応することができる。全長が比較的長い餌本体２の場合は、前記距離を短くし、全長が比較的短い餌本体２の場合は、前記距離を長くするとよい。
【００２５】
この釣餌は、上記のような工程で製造し、複数個ずつまとめて包装して販売することができる。また、これを購入した釣り人は、余計な作業をすることなく、すぐに釣針１に取り付けて釣を開始することができる。
【実施例２】
【００２６】
実施例２は、餌本体２をアサリ等の貝の剥き身としたものである。この発明の釣餌における餌本体２は、実施例１のオキアミのような全体を釣針１に沿って曲げられる細長いものに限定されず、この実施例２に示す貝のような幅や厚みのあるものとすることができる。
【００２７】
糸３は、前述の実施例１と同様のものとすることができる。餌本体２に糸３を巻回するには、図４に示したように、餌本体２に突き刺す平行な２本の直線状の線材８ａ，８ｂと、回転軸となる別の１本の線材８ｃと、これらの線材８ａ，８ｂ，８ｃを固定する取付具９からなる回転用具１０を利用する。
【００２８】
取付具９は直径５ｍｍ程度の硬質発泡スチロール製であり、前記２本の線材８ａ、８ｂは直径０．８ｍｍ程度の丸棒状のカーボンソリッドで、その一端側を接着テープ１１で取付具９に巻きつけることにより固定しており、前記右側の線材８ｃは、直径１ｍｍ程度の丸棒状のカーボンソリッドで、エポキシ接着剤等で取付具９に固定したものとすることができる。
【００２９】
２本の線材８ａ、８ｂ、取付具９、及び右側の線材８ｃは互いに平行であり、前記右側の線材８ｃを指で回転させながら、前述の実施例１の場合と同様に餌本体２に糸３を巻き付かせていくことができる。
【００３０】
なお、餌本体２としては、前述のもの以外に、赤アミ等のアミ類その他従来から一般的に各種の釣用の餌として使用されているものとすることができる。
【００３１】
以上がこの発明の好適な実施形態であるが、この発明は上述の実施形態の構成に限定されるものではなく、素材、形状、寸法等を適宜変更して実施することができる。
【産業上の利用可能性】
【００３２】
海釣り等各種の釣に使用することが可能であり、複数まとめてパッケージして販売することができる。
【符号の説明】
【００３３】
１  釣針
２  餌本体
３  糸
【図１】
2010166883.tif 000003
【図２】
2010166883.tif 000004
【図３】
2010166883.tif 000005
【図４】
2010166883.tif 000006